(57)【要約】      （修正有）【課題】所定の場所に存在するＩＰ電話機等のみから発呼可能とする。【解決手段】ＩＰ電話機等とＩＰ電話網とを接続する収容スイッチであって、収容ポート番号とポートに接続される電話番号とＭＡＣアドレスを関連付けて記憶し、収容ポートからＩＰ電話情報通知を受信した場合、このパケット中に含まれている電話番号、ＭＡＣアドレスが記憶内容と一致するかを判断する。一致する場合に、発呼許可パケットを発信元へ送信し、一致しない場合には発呼不許可パケットを送信するとともに、収容スイッチ管理サーバへ不正発呼情報通知として送信する。【選択図】図２
2005229215.tif 000002
【特許請求の範囲】
【請求項１】
ＩＰ電話機又はＩＰ電話アダプタとＩＰ電話網とを接続する収容スイッチであって、
第１の収容ポートと、
前記第１の収容ポートのポート番号と第１の電話番号と第１のＭＡＣアドレスとが関連付けて記憶されている記憶部と、
前記第１の収容ポートから受信した第１のパケット中にＩＰ電話情報通知を示す識別子が含まれている場合に、前記第１のパケット中に含まれている第２の電話番号が前記第１の電話番号と一致し、かつ前記第１のパケット中に含まれている第２のＭＡＣアドレスが前記第１のＭＡＣアドレスと一致するかを判断するパケット解析部と、
前記パケット解析部が前記第１の電話番号と前記第２の電話番号とが一致し、かつ前記第１のＭＡＣアドレスと前記第２のＭＡＣアドレスとが一致すると判断した場合に、発呼許可を示す識別子を含み、かつ前記第１のパケットの発信元を宛先とする発呼許可パケットを生成し、
前記パケット解析部が前記第１の電話番号と前記第２の電話番号とが一致しない又は前記第１のＭＡＣアドレスと前記第２のＭＡＣアドレスとが一致しないと判断した場合に、
発呼不許可を示す識別子を含み、かつ前記第１のパケットの発信元を宛先とする発呼不許可パケットと、
発呼不許可ＩＰ電話情報を示す識別子と前記第２の電話番号及び前記第２のＭＡＣアドレスと当該収容スイッチの情報とを含み、かつ複数の収容スイッチを管理するサーバであって、各収容スイッチに割り当てられている電話番号及びＩＰ電話機又はＩＰ電話アダプタのＭＡＣアドレスを管理するサーバを宛先とする発呼不許可ＩＰ電話情報等通知パケットと
を生成するパケット生成部と、
前記発呼許可パケット、前記発呼不許可パケット及び前記発呼不許可ＩＰ電話情報等通知パケットを送信可能なように構成されているパケット送信部と、を備える収容スイッチ。
【請求項２】
前記パケット生成部は、前記ＩＰ電話機又は前記ＩＰ電話アダプタと前記収容スイッチとがレイヤ１（物理層）で接続された際に、ＩＰ電話情報通知依頼を示す識別子を含み、かつ接続された前記ＩＰ電話機又は前記ＩＰ電話アダプタを宛先とするＩＰ電話情報通知依頼パケットを生成し、
前記パケット送信部は、前記ＩＰ電話情報通知依頼パケットを送信する請求項１記載の収容スイッチ。
【請求項３】
前記記憶部は、ＩＰ電話情報通知依頼スケジュールも予め記憶し、
前記パケット送信部は、前記ＩＰ電話情報通知依頼スケジュールに従って前記ＩＰ電話情報通知依頼パケットを送信する、請求項２記載の収容スイッチ。
【請求項４】
収容スイッチを経由してＩＰ電話網へ接続されるＩＰ電話機であって、
自己の電話番号を記憶する自電話番号記憶部と、
自己のＭＡＣアドレスを記憶するＭＡＣアドレス記憶部と、
相手先電話番号を入力するために用いられる番号入力部と、
前記自己の電話番号と前記ＭＡＣアドレスとを含み、宛先を前記収容スイッチとするＩＰ電話情報通知パケットと、
発呼許可パケットを受信した場合に、前記番号入力部によって入力された相手先電話番号を含む発呼パケット
を生成するパケット生成部と、
文字を表示可能な表示部と、
発呼不許可パケットを受信した場合に、前記ＩＰ電話機の所在が不正であることを示す文字を前記表示部に表示させる表示制御部と、を備えるＩＰ電話機。
【請求項５】
一般電話機に接続されると共に、収容スイッチを経由してＩＰ電話網へ接続されるＩＰ電話アダプタであって、
自己の電話番号を記憶する自電話番号記憶部と、
自己のＭＡＣアドレスを記憶するＭＡＣアドレス記憶部と、
前記一般電話機から発呼信号を受信した際に、発呼信号に含まれる相手先電話番号を記憶する相手先電話番号記憶部と、
前記自己の電話番号と前記ＭＡＣアドレスとを含み、宛先を前記収容スイッチとするＩＰ電話情報通知パケットと、
発呼許可パケットを受信した場合に、前記相手先電話番号記憶部に記憶されている相手先番号を含む発呼パケット
を生成するパケット生成部と、
文字を表示可能な表示部と、
発呼不許可パケットを受信した場合に、前記ＩＰ電話アダプタの所在が不正であることを示す文字を前記表示部に表示させる表示制御部と、
発呼不許可パケットを受信した場合に、前記一般電話機に切断を知らせる切断信号を送信する信号送信部と、を備えるＩＰ電話アダプタ。
【請求項６】
ＩＰ電話機又はＩＰ電話アダプタとＩＰ電話網とを接続し、第１の収容ポート備える収容スイッチを、
前記第１の収容ポートのポート番号と第１の電話番号と第１のＭＡＣアドレスとが関連付けて記憶される記憶手段、
前記第１の収容ポートから受信した第１のパケット中にＩＰ電話情報通知を示す識別子が含まれている場合に、前記第１のパケット中に含まれている第２の電話番号が前記第１の電話番号と一致し、かつ前記第１のパケット中に含まれている第２のＭＡＣアドレスが前記第１のＭＡＣアドレスと一致するかを判断するパケット解析手段、
前記パケット解析手段が前記第１の電話番号と前記第２の電話番号とが一致し、かつ前記第１のＭＡＣアドレスと前記第２のＭＡＣアドレスとが一致すると判断した場合に、発呼許可を示す識別子を含み、かつ前記第１のパケットの発信元を宛先とする発呼許可パケットを生成し、
前記パケット解析手段が前記第１の電話番号と前記第２の電話番号とが一致しない又は前記第１のＭＡＣアドレスと前記第２のＭＡＣアドレスとが一致しないと判断した場合に、
発呼不許可を示す識別子を含み、かつ前記第１のパケットの発信元を宛先とする発呼不許可パケットと、
発呼不許可ＩＰ電話情報を示す識別子と前記第２の電話番号及び前記第２のＭＡＣアドレスと当該収容スイッチの情報とを含み、かつ複数の収容スイッチを管理するサーバであって、各スイッチに割り当てられている電話番号及びＩＰ電話機又はＩＰ電話アダプタのＭＡＣアドレスを管理するサーバを宛先とする発呼不許可ＩＰ電話情報等通知パケットと
を生成するパケット生成手段、
前記発呼許可パケット、前記発呼不許可パケット及び前記発呼不許可ＩＰ電話情報等通知パケットを送信可能なように構成されているパケット送信手段、として機能させるための収容スイッチ用プログラム。
【請求項７】
さらに、前記パケット生成手段に、前記ＩＰ電話機又は前記ＩＰ電話アダプタと前記収容スイッチとがレイヤ１（物理層）で接続された際に、ＩＰ電話情報通知依頼を示す識別子を含み、かつ接続された前記ＩＰ電話機又は前記ＩＰ電話アダプタを宛先とするＩＰ電話情報通知依頼パケットを生成させ、
前記パケット送信手段に、前記ＩＰ電話情報通知依頼パケットを送信させる請求項６記載の収容スイッチ用プログラム。
【請求項８】
さらに、前記記憶部に、ＩＰ電話情報通知依頼スケジュールも予め記憶させ、
前記パケット送信部に、前記ＩＰ電話情報通知依頼スケジュールに従って前記ＩＰ電話情報通知依頼パケットを送信させる、請求項７記載の収容スイッチ用プログラム。
【請求項９】
収容スイッチを経由してＩＰ電話網へ接続されるＩＰ電話機を、
自己の電話番号を記憶する自電話番号記憶手段、
自己のＭＡＣアドレスを記憶するＭＡＣアドレス記憶手段、
相手先電話番号を入力するために用いられる番号入力手段、
前記自己の電話番号と前記ＭＡＣアドレスとを含み、宛先を前記収容スイッチとするＩＰ電話情報通知パケットと、
発呼許可パケットを受信した場合に、前記番号入力手段によって入力された相手先電話番号を含む発呼パケット
を生成するパケット生成手段、
文字を表示可能な表示手段、
発呼不許可パケットを受信した場合に、前記ＩＰ電話機の所在が不正であることを示す文字を前記表示部に表示させる表示制御手段、として機能させるためのＩＰ電話機用プログラム。
【請求項１０】
一般電話機に接続されると共に、収容スイッチを経由してＩＰ電話網へ接続されるＩＰ電話アダプタを、
自己の電話番号を記憶する自電話番号記憶手段、
自己のＭＡＣアドレスを記憶するＭＡＣアドレス記憶手段、
前記一般電話機から発呼信号を受信した際に、発呼信号に含まれる相手先電話番号を記憶する相手先電話番号記憶手段、
前記自己の電話番号と前記ＭＡＣアドレスとを含み、宛先を前記収容スイッチとするＩＰ電話情報通知パケットと、
発呼許可パケットを受信した場合に、前記相手先電話番号記憶部に記憶されている相手先番号を含む発呼パケット
を生成するパケット生成手段、
文字を表示可能な表示手段、
発呼不許可パケットを受信した場合に、前記ＩＰ電話アダプタの所在が不正であることを示す文字を前記表示部に表示させる表示制御手段、
発呼不許可パケットを受信した場合に、前記一般電話機に切断を知らせる切断信号を送信する信号送信手段、として機能させるためのＩＰ電話アダプタ用プログラム。
【発明の詳細な説明】
【技術分野】
【０００１】
本発明は、所定の場所に存在するＩＰ電話機又はＩＰ電話アダプタのみに発呼を許可する収容スイッチ、並びに所定の場所からのみ発呼可能なＩＰ電話機及びＩＰ電話アダプタに関する。さらに、本発明は、所定の場所に存在するＩＰ電話機又はＩＰ電話アダプタのみに発呼を許可する収容スイッチ用プログラム、並びに所定の場所からのみ発呼可能となるＩＰ電話機用プログラム及びＩＰ電話アダプタ用プログラムに関する。
【背景技術】
【０００２】
近年、ＩＰ（インターネット・プロトコル）を用いるインターネット電話の利用者が増加している。インターネット電話では音声を符号化してデジタルデータとし、これにEthernet（登録商標）ヘッダ、ＩＰヘッダ等を付加したパケットを、ＩＰ電話網を経由して受信側へ届ける。受信側ではパケット内のデジタルデータを音声へ復元する。
【０００３】
ＩＰ電話機等への電話番号の割り当て方法としては、携帯電話やＰＨＳ（パーソナル・ハンディフォン・システム）と同様に、ＩＰ電話機等がどこに存在しても通話できるという方法もある（例えば、特許文献１参照）。
【特許文献１】特開２００３−２５０００５号公報
【発明の開示】
【発明が解決しようとする課題】
【０００４】
一方、東京都なら「０３」から始まるなど一般電話と同じ番号帯をＩＰ電話機等も使用するなら、一般電話と同様に、ＩＰ電話機等も所定の電話局の配下に存在しなければならない。
【０００５】
そこで、本発明の課題は、ＩＰ電話機等が所定の電話局の配下に存在する場合にのみ通話可能で、所定の電話局の配下に存在しない場合には通話不可能とする技術を提供することにある。
【課題を解決するための手段】
【０００６】
本発明の第１の特徴は、ＩＰ電話機又はＩＰ電話アダプタとＩＰ電話網とを接続する収容スイッチであって、（１）第１の収容ポートと、（２）第１の収容ポートのポート番号と第１の電話番号と第１のＭＡＣアドレスとが関連付けて記憶されている記憶部と、（３）第１の収容ポートから受信した第１のパケット中にＩＰ電話情報通知を示す識別子が含まれている場合に、第１のパケット中に含まれている第２の電話番号が第１の電話番号と一致し、かつ第１のパケット中に含まれている第２のＭＡＣアドレスが第１のＭＡＣアドレスと一致するかを判断するパケット解析部と、（４−１）パケット解析部が第１の電話番号と第２の電話番号とが一致し、かつ第１のＭＡＣアドレスと第２のＭＡＣアドレスとが一致すると判断した場合に、発呼許可を示す識別子を含み、かつ第１のパケットの発信元を宛先とする発呼許可パケットを生成し、（４−２）パケット解析部が第１の電話番号と第２の電話番号とが一致しない又は第１のＭＡＣアドレスと第２のＭＡＣアドレスとが一致しないと判断した場合に、（４−２−１）発呼不許可を示す識別子を含み、かつ第１のパケットの発信元を宛先とする発呼不許可パケットと、（４−２−２）発呼不許可ＩＰ電話情報を示す識別子と第２の電話番号及び第２のＭＡＣアドレスと当該収容スイッチの情報とを含み、かつ複数の収容スイッチを管理するサーバであって、各スイッチに割り当てられている電話番号及びＩＰ電話機又はＩＰ電話アダプタのＭＡＣアドレスを管理するサーバを宛先とする発呼不許可ＩＰ電話情報等通知パケットとを生成するパケット生成部と、（５）発呼許可パケット、発呼不許可パケット及び発呼不許可ＩＰ電話情報等通知パケットを送信可能なように構成されているパケット送信部と、を備えることにある。
【０００７】
「当該収容スイッチの情報」には、当該収容スイッチのＭＡＣアドレス、第１のパケットを受信した収容ポートのポート番号が含まれる。
【０００８】
本発明の第２の特徴は、第１の特徴を備える収容スイッチであって、（１）パケット生成部は、ＩＰ電話機又はＩＰ電話アダプタと収容スイッチとがレイヤ１（物理層）で接続された際に、ＩＰ電話情報通知依頼を示す識別子を含み、かつ接続されたＩＰ電話機又はＩＰ電話アダプタを宛先とするＩＰ電話情報通知依頼パケットを生成し、（２）  パケット送信部は、ＩＰ電話情報通知依頼パケットを送信する、ことにある。
【０００９】
本発明の第３の特徴は、第２の特徴を備える収容スイッチであって、（１）記憶部は、ＩＰ電話情報通知依頼スケジュールも予め記憶し、（２）パケット送信部は、ＩＰ電話情報通知依頼スケジュールに従ってＩＰ電話情報通知依頼パケットを送信する、ことにある。
【００１０】
「ＩＰ電話情報通知依頼スケジュール」は、毎月１回所定の日時に、毎週１回所定の日時に、毎日１回所定の時間に又は何らかのイベントが発生したときなど、任意に設定可能である。
【００１１】
本発明の第４の特徴は、収容スイッチを経由してＩＰ電話網へ接続されるＩＰ電話機であって、（１）自己の電話番号を記憶する自電話番号記憶部と、（２）自己のＭＡＣアドレスを記憶するＭＡＣアドレス記憶部と、（３）相手先電話番号を入力するために用いられる番号入力部と、（４−１）自己の電話番号と自己のＭＡＣアドレスとを含み、宛先を収容スイッチとするＩＰ電話情報通知パケットと、（４−２）発呼許可パケットを受信した場合に、番号入力部によって入力された相手先電話番号を含む発呼パケットとを生成するパケット生成部と、（５）文字を表示可能な表示部と、（６）発呼不許可パケットを受信した場合に、ＩＰ電話機の所在が不正であることを示す文字を表示部に表示させる表示制御部と、を備えることにある。
【００１２】
自電話番号記憶部とＭＡＣアドレス記憶部とは別個の記憶装置でなくても良い。物理的に単一の記憶装置の第１のアドレスに自電話番号を記憶し、第２のアドレスにＭＡＣアドレスを記憶するとしても良い。
【００１３】
発呼パケットは、接続を要求するパケットであって、例えばＳＩＰ(session initiation protocol)におけるINVITEメッセージを含む。
【００１４】
本発明の第５の特徴は、一般電話機に接続されると共に、収容スイッチを経由してＩＰ電話網へ接続されるＩＰ電話アダプタであって、（１）自己の電話番号を記憶する自電話番号記憶部と、（２）自己のＭＡＣアドレスを記憶するＭＡＣアドレス記憶部と、（３）一般電話機から発呼信号を受信した際に、発呼信号に含まれる相手先電話番号を記憶する相手先電話番号記憶部と、（４−１）自己の電話番号とＭＡＣアドレスとを含み、宛先を収容スイッチとするＩＰ電話情報通知パケットと、（４−２）発呼許可パケットを受信した場合に、相手先電話番号記憶部に記憶されている相手先番号を含む発呼パケットとを生成するパケット生成部と、（５）文字を表示可能な表示部と、（６）発呼不許可パケットを受信した場合に、ＩＰ電話アダプタの所在が不正であることを示す文字を表示部に表示させる表示制御部と、（７）発呼不許可パケットを受信した場合に、一般電話機に切断を知らせる切断信号を送信する信号送信部と、を備えることにある。
【発明の効果】
【００１５】
本発明の第１の特徴によれば、収容スイッチは、第１の収容ポートが受信した第１のパケットに含まれる第２の電話番号と第２のＭＡＣアドレスが、第１の収容ポートのポート番号と関連付けて記憶されている第１の電話番号と第１のＭＡＣアドレスと一致する場合にのみ、ＩＰ電話機又はＩＰ電話アダプタへ発呼を許可し、そうでない場合は発呼を許可しない。このため、所定のＩＰ電話機等が所定の収容スイッチの所定のポートに接続されている場合に限り、発呼及び通話を許可される。
【００１６】
本発明の第２の特徴によれば、ＩＰ電話機等がレイヤ１（物理層）で接続されたらすぐに、そのＩＰ電話機等が所定のＳＷの所定のポートに接続されたのか否かを知ることができる。
【００１７】
本発明の第３の特徴によれば、収容スイッチに接続されているＩＰ電話機等が所定のＳＷの所定のポートに接続されているか否かを継続的に調査、管理することができる。
【００１８】
本発明の第４及び第５の特徴によれば、発呼を許可された場合は通常通り発呼及び通話開始が可能であるが、発呼を許可されない場合は、所在が不正である旨が表示部に表示されるため、発呼及び通話開始ができない理由を知ることができる。
【発明を実施するための最良の形態】
【００１９】
以下、図面に基づいて本発明を実施するための最良の形態について説明する。ただし、後述する実施の形態は、本発明の技術的範囲を限定するものではない。
【００２０】
図１は、本発明の実施形態の全体構成を示す。図１に示すように、発信側のＩＰ電話機１１１は収容局のスイッチ（以下、収容ＳＷ又は単にＳＷとする）１２１を経由してＩＰ電話網１３１へ接続されている。同様に、発信側の一般電話機１１２はＶｏＩＰＧＷ（Voice Over Internet Protocol Gateway）又はＶｏＩＰＴＡ（Voice Over Internet Protocol Terminal Adaptor）などのＩＰ電話アダプタ１１３に接続され、収容ＳＷ１２１を経由してＩＰ電話網１３１へ接続されている。
【００２１】
ＩＰ電話網１３１には、所在管理サーバ１４１、ソフトスイッチ１５１、及び受信側となる他のＩＰ電話機１８１も接続されている。また、一般電話機１６１も一般電話網１３２を介してＩＰ電話網１３１に接続可能である。さらに、携帯電話機１７１も携帯電話網１３３を介してＩＰ電話網１３１に接続可能である。図示しないが、各電話網の接点、つまりＩＰ電話網１３１と一般電話網１３２との接点、ＩＰ電話網１３１と携帯電話網１３３との接点、及び一般電話網１３２と携帯電話網１３３との接点のそれぞれにＧＷ(Gateway)が存在する。
【００２２】
所在管理サーバ１４１は、発信側のＩＰ電話機１１１や一般電話機１１２が所定のＳＷ１２１に接続されているかを管理可能なように構成されている。
【００２３】
ソフトスイッチ１５１は、ＩＰ電話環境を管理するサーバであって、ＩＰ電話間又はＩＰ電話−非ＩＰ電話間での接続を制御可能なように構成されている。
【実施例１】
【００２４】
（ＩＰ電話機情報の更新）
図２（ａ）は所在管理サーバの構成を示し、図２（ｂ）は収容ＳＷの構成を示し、図２（ｃ）はＩＰ電話機の構成を示す。
【００２５】
図２（ａ）に示すように、所在管理サーバ１４１は、管理表記憶部２１１と、パケット生成部２１２と、パケット送信部２１３と、パケット受信部２１４と、パケット解析部２１５とを備える。これら各部はバス２２０に接続されている。
【００２６】
管理表記憶部２１１は、ＨＤＤ(Hard Disk Drive)などの記憶内容を書き換え可能な記憶装置であって、所在管理表を記憶する。
【００２７】
パケット生成部２１２は、新規ＩＰ電話機情報登録パケット、既存ＩＰ電話機情報変更パケット、既存ＩＰ電話機情報削除パケットなどを生成可能なように構成されている。
【００２８】
新規ＩＰ電話機情報登録パケットは、新規にＩＰ電話機情報が登録されたことを知らせるパケット、既存ＩＰ電話機情報変更パケットは、既存のＩＰ電話機情報が変更されたことを知らせるパケット、既存ＩＰ電話機情報削除パケットは、既存のＩＰ電話機情報が削除されたことを知らせるパケットである。各種パケットは、Ethernet（登録商標）ヘッダ、ＩＰヘッダ、ＵＤＰヘッダ又はＴＣＰヘッダなどを有する。
【００２９】
パケット送信部２１３は、パケット生成部２１２によって生成された各種パケットを送信可能なように構成されている。
【００３０】
パケット受信部２１４は、新規ＩＰ電話機情報登録完了通知パケット、既存ＩＰ電話機情報変更完了通知パケット、既存ＩＰ電話機情報削除完了通知パケットなどを受信可能なように構成されている。これら各完了通知パケットについては後述する。
【００３１】
パケット解析部２１５は、パケット受信部によって受信された各種パケットの内容を解析可能なように構成されている。例えば、新規ＩＰ電話機情報登録完了通知パケットに含まれている新規ＩＰ電話機情報登録完了通知識別子を読み、新規ＩＰ電話機情報登録が完了したことを認識できる。
【００３２】
図２（ｂ）に示すように、収容ＳＷ１２１は、接続表記憶部２３１と、パケット生成部２３２と、パケット送信部２３３と、パケット受信部２３４と、パケット解析部２３５と、ＩＰ電話網接続ポートと、２以上のＩＰ電話機収容ポート（第１ＩＰ電話機収容ポート、第２ＩＰ電話機収容ポート、・・・）とを備える。これら各部はバス２４０に接続されている。
【００３３】
接続表記憶部２３１は、管理表記憶部２１１と同様に、ＨＤＤ(Hard Disk Drive)などの記憶内容を書き換え可能な記憶装置であって、ＩＰ電話機接続表を記憶する。
【００３４】
パケット生成部２３２は、新規ＩＰ電話機情報登録完了通知パケット、既存ＩＰ電話機情報変更完了通知パケット、既存ＩＰ電話機情報削除完了通知パケットなどを生成する。
【００３５】
これら新規ＩＰ電話機情報登録完了通知パケットは、収容ＳＷ１２１の接続表記憶部２３１に対するＩＰ電話機情報の登録、変更、削除が完了したことを所在管理サーバに通知するパケットである。各種パケットは、Ethernet（登録商標）ヘッダ、ＩＰヘッダ、ＵＤＰヘッダ又はＴＣＰヘッダなどを有する。
【００３６】
パケット送信部２３３、パケット受信部２３４、パケット解析部２３５は、所在管理サーバ１４１と同様であるから説明を省略する。
【００３７】
図２（ｃ）に示すように、ＩＰ電話機１１１は自電話番号記憶部２５１と、ＭＡＣアドレス記憶部２５２と、パケット生成部２５３と、パケット送信部２５４と、パケット受信部２５５と、パケット解析部２５６と、表示制御部２５７と、表示部２５８と、番号入力部２５９とを備える。これら各部はバス２６０に接続されている。
【００３８】
電話番号記憶部２５１は、ＩＰ電話機１１１の電話番号を記憶する。
【００３９】
ＭＡＣアドレス記憶部２５２は、ＩＰ電話機１１１のＭＡＣ(Media Access Control)アドレスを記憶する。なお、自電話番号記憶部２５１とＭＡＣアドレス記憶部２５２は、物理的に分離された別個の記憶装置である必要はない。物理的には単一の記憶装置の別々の領域をそれぞれ電話番号記憶部とＭＡＣアドレス記憶部として使用しても良いことは言うまでもない。
【００４０】
パケット生成部２５３は、自電話番号記憶部２５１に記憶されている電話番号と、ＭＡＣアドレス記憶部２５２に記憶されているＭＡＣアドレスとを含むＩＰ電話機情報通知パケットを生成し得る。また、相手先電話番号を接続先とする発呼パケットを生成し得る。
【００４１】
パケット送信部２５４、パケット受信部２５５、パケット解析部２５６は、所在管理１４１等と同様であるから、説明を省略する。
【００４２】
表示制御部２５７は、受信したパケットに発呼不許可を通知するメッセージが含まれているという解析結果をパケット解析部が出力した場合に、ＩＰ電話機の所在が不正であることを示すメッセージなどを表示部２５８に表示させる。
【００４３】
番号入力部２５９は、相手先（例えば、図１の携帯電話機１７１）の電話番号を入力するための「０」〜「９」までの数値ボタンなどである。
【００４４】
図３（ａ）に所在管理表の一例を示す。図３（ａ）に示すように、所在管理表には、収容ＳＷのＭＡＣアドレスと、ＩＰ電話機収容ポート番号と、ＩＰ電話機ＭＡＣアドレスと、ＩＰ電話番号とが関連付けて記憶される。例えば、収容ＳＷのＭＡＣアドレス「ＡＦ．Ｃ１．５７．０１．０３．Ａ９」と、ＩＰ電話機収容ポート番号「５」と、ＩＰ電話機ＭＡＣアドレス「ＡＦ．Ｃ０．５７．０１．０３．Ａ９」と、ＩＰ電話番号「０３−８８８８−９９９９」とが関連付けて記憶される。これは、ＭＡＣアドレス「ＡＦ．Ｃ０．５７．０１．０３．Ａ９」を有するＩＰ電話機に、ＩＰ電話番号「０３−８８８８−９９９９」が付与され、そのＩＰ電話機は、ＭＡＣアドレス「ＡＦ．Ｃ０．５７．０１．０３．Ａ９」を有する収容局のＳＷのポート番号「５」のポートに接続されていることを示す。なお、所在管理表は、正規化して分割して管理するとしても良い。
【００４５】
図３（ｂ）にＩＰ電話機接続表の一例を示す。図３（ｂ）に示すように、ＩＰ電話機接続表には、ＩＰ電話番号と、ＩＰ電話機ＭＡＣアドレスと、ＩＰ電話機収容ポート番号とが関連付けて記憶される。例えば、ＩＰ電話番号「０３−８８８８−９９９９」と、ＩＰ電話機ＭＡＣアドレス「ＡＦ．Ｃ０．５７．０１．０３．Ａ９」と、ＩＰ電話機収容ポート番号「５」とが関連付けて記憶される。これは、ＭＡＣアドレス「ＡＦ．Ｃ０．５７．０１．０３．Ａ９」のＩＰ電話機に、ＩＰ電話番号「０３−８８８８−９９９９」が付与され、そのＩＰ電話機は収容局のＳＷのポート番号「５」のポートに接続されていることを示す。
【００４６】
（ＩＰ電話機情報の登録、更新、削除）
図４に基づいて、ＩＰ電話機情報の登録、更新、削除について説明する。
【００４７】
図４に示すように、所在管理サーバ１４１に対して、新規ＩＰ電話機情報が登録されると、パケット生成部２１２は新規登録内容を収容ＳＷへ通知するパケットを生成し、パケット送信部はそのパケットを送信する。
【００４８】
具体的には、パケット生成部２１２は、新規に登録されたＩＰ電話機１１１の電話番号と、ＩＰ電話機１１１のＭＡＣアドレスと、ＳＷ１２１のポート番号と、新規ＩＰ電話機情報登録を示す識別子を含むアプリケーションデータにＵＤＰヘッダ又はＴＣＰヘッダ、ＩＰヘッダ、Ethernet（登録商標）ヘッダを付加して新規ＩＰ電話機情報登録パケットを生成する。このＩＰヘッダには、収容ＳＷ１２１のＩＰアドレスが宛先ＩＰアドレスとして含まれる。
【００４９】
収容ＳＷ１２１の受信部２３４が新規ＩＰ電話機情報登録パケットを受信する。パケット解析部２３５は、Ethernet（登録商標）ヘッダ、ＩＰヘッダ、ＵＤＰヘッダ又はＴＣＰヘッダを順次、除去した後、アプリケーションデータに含まれている新規ＩＰ電話機情報登録を示す識別子、電話番号、ＭＡＣアドレス及びポート番号を読み取る。接続表記部２３１に、読み取られた電話番号、ＭＡＣアドレス及びポート番号が関連付けて記憶される。
【００５０】
新規ＩＰ電話機情報の登録が完了すると、パケット生成部２３２は、登録完了を通知する識別子を含むアプリケーションデータにＵＤＰヘッダ又はＴＣＰヘッダ、ＩＰヘッダ、Ethernet（登録商標）ヘッダを付加して新規ＩＰ電話機情報登録完了通知パケットを生成する。このＩＰヘッダに含まれる宛先ＩＰアドレスは、所在管理サーバ１４１のＩＰアドレスである。
【００５１】
パケット送信部２３３は、パケット生成部２３２によって生成された新規ＩＰ電話機情報登録完了通知パケットを送信する。
【００５２】
所在管理サーバ１４１のパケット受信部２１４は、新規ＩＰ電話機情報登録完了通知パケットを受信する。パケット解析部２１５は、パケット受信部２１４から新規ＩＰ電話機情報登録完了通知パケットを受け取り、Ethernet（登録商標）ヘッダ、ＩＰヘッダ、ＵＤＰヘッダ又はＴＣＰヘッダを順次、除去した後、アプリケーションデータに含まれている新規ＩＰ電話機情報登録完了を示す識別子を読み取り、新規ＩＰ電話機情報登録の完了を認識する。
【００５３】
同様にして、既存ＩＰ電話機情報変更パケットが所在管理サーバから収容ＳＷへ送信されると、収容ＳＷの接続表記億部２３１の内容が変更される。そして、既存ＩＰ電話機情報変更完了通知パケットが収容ＳＷから所在管理サーバへ送信される。
【００５４】
同様にして、既存ＩＰ電話機情報削除パケットが所在管理サーバから収容ＳＷへ送信されると、収容ＳＷの接続表記億部２３１から対応する情報が削除される。そして、既存ＩＰ電話機情報削除完了通知パケットが収容ＳＷから所在管理サーバへ送信される。
【００５５】
このようにして、所在管理サーバに新規ＩＰ電話機情報が登録されたり、所在管理サーバに登録されているＩＰ電話機情報が変更又は削除されたりした場合に、所在管理サーバの記憶内容と同じになるように、収容ＳＷの記憶内容も登録、変更、削除される。
【００５６】
（所定の場所からＩＰ電話機が発呼する場合）
図５（ａ）に基づいて、所定の場所からＩＰ電話機が発呼する場合について説明する。図５（ａ）に示すように、ＩＰ電話機１１１から収容ＳＷ１２１へＩＰ電話機情報を通知する。具体的には、ＩＰ電話機１１１のパケット生成部２５３は、自電話番号記憶部２５１から読み取られたＩＰ電話機１１１の電話番号と、ＭＡＣアドレス記憶部２５２から読み取られたＩＰ電話機１１１のＭＡＣアドレスと、ＩＰ電話機情報を通知することを示す識別子を含むアプリケーションデータに、ＵＤＰヘッダ又はＴＣＰヘッダ、ＩＰヘッダ、Ethernet（登録商標）ヘッダを付加してＩＰ電話機情報通知パケットを生成する。このＩＰヘッダに含まれる宛先ＩＰアドレスは、収容ＳＷのＩＰアドレスである。生成されたＩＰ電話機情報通知パケットは、パケット送信部２５４によってＩＰ電話機と収容ＳＷを接続するケーブルへ送信される。
【００５７】
このケーブルは、第１ＩＰ電話機収容ポート２３７に接続され、収容ＳＷ１２１のパケット受信部２３４は、第１ＩＰ電話機収容ポート２３７からＩＰ電話機情報通知パケットを受信するものとする。
【００５８】
パケット解析部２３５は、パケット受信部２３４からＩＰ電話機情報通知パケットを受け取り、Ethernet（登録商標）ヘッダ、ＩＰヘッダ、ＵＤＰヘッダ又はＴＣＰヘッダを順次、除去した後、アプリケーションデータに含まれているＩＰ電話機１１１の電話番号、ＩＰ電話機１１１のＭＡＣアドレスを読み取り、接続表記憶部２３１の内容と比較する。
【００５９】
パケットから読み取られたＩＰ電話番号及びＩＰ電話機ＭＡＣアドレス、並びにそのパケットを受け取ったポートの番号の全てが、接続表記憶部２３１において１組の情報として関連付けて記憶されている場合、パケット生成部２３２は、発呼許可を示す識別子を含むアプリケーションデータに、ＵＤＰヘッダ又はＴＣＰヘッダ、ＩＰヘッダ、Ethernet（登録商標）ヘッダを付加して発呼許可パケットを生成する。このＩＰヘッダに含まれる宛先ＩＰアドレスは、ＩＰ電話機１１１のＩＰアドレスである。生成された発呼許可パケットは、パケット送信部２３３によって送信される。
【００６０】
「パケットから読み取られたＩＰ電話番号及びＩＰ電話機ＭＡＣアドレス、並びにそのパケットを受け取ったポートの番号の全てが、接続表記憶部２３１において１組の情報として関連付けて記憶されている場合」とは、例えば、パケットから読み取られたＩＰ電話番号が「０３−８８８８−９９９９」、パケットから読み取られたＩＰ電話機ＭＡＣアドレスが「ＡＦ．Ｃ０．５７．０１．０３．Ａ９」、パケットを受け取ったポートの番号が「５」、つまり図３（ｂ）に示すＩＰ電話機接続表の第１行の内容と同じ場合である。
【００６１】
ＩＰ電話機１１１のパケット受信部２５５は、発呼許可パケットを受信する。パケット解析部２５６は、パケット受信部２５５から発呼許可パケットを受け取り、Ethernet（登録商標）ヘッダ、ＩＰヘッダ、ＵＤＰヘッダ又はＴＣＰヘッダを順次、除去した後、アプリケーションデータに含まれている発呼許可を示す識別子を読み取る。
【００６２】
パケット生成部２５３は、相手先（例えば、図１の一般電話１６１）の電話番号及び呼び出し要求メッセージ（例えば、Session Initiation ProtocolのINVITEメッセージ）を含むデータに、ＵＤＰヘッダ又はＴＣＰヘッダ、ＩＰヘッダ、Ethernet（登録商標）ヘッダを付加して発呼パケットを生成する。このＩＰヘッダに含まれる宛先ＩＰアドレスは、ソフトスイッチ１５１のＩＰアドレスである。生成された発呼パケットは、パケット送信部２５４によってＩＰ電話機１１１と収容ＳＷ１２１を接続するケーブルへ送信される。
【００６３】
上記の如く、所定の場所からＩＰ電話機が発呼しようとする場合、発呼は許可される。
【００６４】
（所定の場所以外からＩＰ電話機が発呼する場合）
図５（ｂ）に基づいて、所定の場所以外からＩＰ電話機１１１が発呼する場合について説明する。図５（ｂ）に示すように、ＩＰ電話機１１１から収容ＳＷ１２１へＩＰ電話機情報を通知する。具体的には、ＩＰ電話機１１１のパケット生成部２５３は、自電話番号記憶部２５１から読み取られたＩＰ電話機１１１の電話番号と、ＭＡＣアドレス記憶部２５２から読み取られたＩＰ電話機１１１のＭＡＣアドレスと、ＩＰ電話機情報を通知することを示す識別子を含むアプリケーションデータに、ＵＤＰヘッダ又はＴＣＰヘッダ、ＩＰヘッダ、Ethernet（登録商標）ヘッダを付加してＩＰ電話機情報通知パケットを生成する。このＩＰヘッダに含まれる宛先ＩＰアドレスは、収容ＳＷ１２１のＩＰアドレスである。生成されたＩＰ電話機情報通知パケットは、パケット送信部２５４によってＩＰ電話機１１１と収容ＳＷ１２１とを接続するケーブルへ送信される。
【００６５】
このケーブルは、第２ＩＰ電話機収容ポート２３８に接続され、収容ＳＷ１２１のパケット受信部２３４は、第２ＩＰ電話機収容ポート２３８からＩＰ電話機情報通知パケットを受信するものとする。
【００６６】
パケット解析部２３５は、パケット受信部２３４からＩＰ電話機情報通知パケットを受け取り、Ethernet（登録商標）ヘッダ、ＩＰヘッダ、ＵＤＰヘッダ又はＴＣＰヘッダを順次、除去した後、アプリケーションデータに含まれているＩＰ電話機１１１の電話番号、ＩＰ電話機１１１のＭＡＣアドレス、ＩＰ電話機情報通知を示す識別子を読み取り、接続表記憶部２３１の内容と比較する。
【００６７】
パケットから読み取られたＩＰ電話番号及びＩＰ電話機ＭＡＣアドレス、並びにそのパケットを受け取ったポートの番号の全てが、接続表記憶部２３１において１組の情報として関連付けて記憶されている場合以外は、パケット生成部２３２は、発呼不許可を示す識別子を含むアプリケーションデータに、ＵＤＰヘッダ又はＴＣＰヘッダ、ＩＰヘッダ、Ethernet（登録商標）ヘッダを付加して発呼不許可パケットを生成する。このＩＰヘッダに含まれる宛先ＩＰアドレスは、ＩＰ電話機１１１のＩＰアドレスである。生成された発呼不許可パケットは、パケット送信部２３３によって送信される。
【００６８】
「パケットから読み取られたＩＰ電話番号及びＩＰ電話機ＭＡＣアドレス、並びにそのパケットを受け取ったポートの番号の全てが、接続表記憶部２３１において１組の情報として関連付けて記憶されている場合以外」とは、例えば、第２ＩＰ電話機収容ポート２３８のポート番号が「１２」であるが、受信したパケットから読み取られたＩＰ電話番号が「０３−８８８８−９９９８」、ＩＰ電話機ＭＡＣアドレスが「ＡＦ．Ｃ０．５７．０１．０５．Ａ９」でない場合、つまり図３（ｂ）に示すＩＰ電話機接続表の第２行の内容とＩＰ電話番号及びＩＰ電話機ＭＡＣアドレスが相違する場合である。
【００６９】
ＩＰ電話機１１１のパケット受信部２５５は、発呼不許可パケットを受信する。パケット解析部２５６は、パケット受信部２５５から発呼不許可パケットを受け取り、Ethernet（登録商標）ヘッダ、ＩＰヘッダ、ＵＤＰヘッダ又はＴＣＰヘッダを順次、除去した後、アプリケーションデータに含まれている発呼不許可を示す識別子を読み取る。
【００７０】
表示制御部２５７は、液晶ディスプレイなどの表示部２５８に、ＩＰ電話機の所在が不正であることを示すメッセージなどを表示する。
【００７１】
収容ＳＷ１２１のパケット生成部２３２は、ＩＰ電話機１１１の電話番号、ＭＡＣアドレス、及び発呼不許可となったことを示す識別子を含む発呼不許可ＩＰ電話機情報通知パケットを生成する。発呼不許可ＩＰ電話機情報通知パケットのＩＰヘッダには所在管理サーバ１４１のＩＰアドレスが、宛先ＩＰアドレスとして含まれる。生成された発呼不許可ＩＰ電話機情報通知パケットはパケット送信部２３３によって送信される。
【００７２】
発呼不許可ＩＰ電話機情報通知パケットの内容は、所在管理サーバ１４１の管理表記憶部２１１に記憶される。
【００７３】
上記の如く、所定の場所以外からＩＰ電話機が発呼しようとする場合、発呼は許可されない。
【００７４】
（所定の場所にある一般電話機からVoIPGW又はVoIPTA経由で電話をかける場合）
図６に示すように、VoIPGW、VoIPTAなどのＩＰ電話アダプタ１１３は、ＩＰ電話機１１１と同様に、自電話番号記憶部６１１と、ＭＡＣアドレス記憶部６１２と、パケット生成部６１３と、パケット送信部６１４と、パケット受信部６１５と、パケット解析部６１６と、表示制御部６１７と、表示部６１８とを備える。ＩＰ電話アダプタ１１３は、さらに相手先電話番号記憶部６１９と、信号受信部６２０と、信号送信部６２１とを備える。これら各部はバス６３０に接続されている。
【００７５】
信号受信部６２０は、一般電話機１１２から発呼信号等を受信し、信号送信部６２１は一般電話機１１２へ切断信号等を送信する。
【００７６】
相手先電話番号記憶部６１９は、一般電話機１１２から受信した発呼信号に含まれる相手先電話番号を一時的に記憶するように構成されている。
【００７７】
図７（ａ）に基づいて、所定の場所から一般電話機１１２がＩＰ電話アダプタ１１３経由で電話をかける場合について説明する。
【００７８】
図７（ａ）に示すように、発呼のために、一般電話機１１２からＩＰ電話アダプタ１１３の信号受信部６２０へ相手先電話番号を伝える信号が送られる。相手先電話番号記憶部６１９は、相手先電話番号を記憶する。ＩＰ電話アダプタ１１３は収容ＳＷへＩＰ電話機情報を通知する。具体的には、パケット生成部６１３は、自電話番号記憶部６１１から読み取られたＩＰ電話アダプタ１１３の電話番号と、ＭＡＣアドレス記憶部６１２から読み取られたＩＰ電話アダプタ１１３のＭＡＣアドレスと、ＩＰ電話機情報を通知することを示す識別子を含むアプリケーションデータに、ＵＤＰヘッダ又はＴＣＰヘッダ、ＩＰヘッダ、Ethernet（登録商標）ヘッダを付加してＩＰ電話機情報通知パケットを生成する。このＩＰヘッダに含まれる宛先ＩＰアドレスは、収容ＳＷ１２１のＩＰアドレスである。生成されたＩＰ電話機情報通知パケットは、パケット送信部６１４によってＩＰ電話機と収容ＳＷ１２１を接続するケーブルへ送信される。
【００７９】
このケーブルは、収容ＳＷ１２１の第１ＩＰ電話機収容ポート２３７に接続され、収容ＳＷ１２１のパケット受信部２３４は、第１ＩＰ電話機収容ポートからＩＰ電話機情報通知パケットを受信するものとする。
【００８０】
パケット解析部２３５は、パケット受信部２３４からＩＰ電話機情報通知パケットを受け取り、Ethernet（登録商標）ヘッダ、ＩＰヘッダ、ＵＤＰヘッダ又はＴＣＰヘッダを順次、除去した後、アプリケーションデータに含まれているＩＰ電話アダプタ１１３の電話番号及びＭＡＣアドレス、ＩＰ電話機情報通知を示す識別子を読み取り、接続表記憶部２３１の内容と比較する。
【００８１】
パケットから読み取られた電話番号及びＩＰ電話機ＭＡＣアドレス、並びにそのパケットを受け取ったポートの番号の全てが、接続表記憶部２３１において１組の情報として関連付けて記憶されている場合、パケット生成部２３２は、発呼許可を示す識別子を含むアプリケーションデータに、ＵＤＰヘッダ又はＴＣＰヘッダ、ＩＰヘッダ、Ethernet（登録商標）ヘッダを付加して発呼許可パケットを生成する。このＩＰヘッダに含まれる宛先ＩＰアドレスは、ＩＰ電話アダプタ１１３のＩＰアドレスである。生成された発呼許可パケットは、パケット送信部２３３によって送信される。
【００８２】
ＩＰ電話アダプタ１１３のパケット受信部６１５は、発呼許可パケットを受信する。パケット解析部６１６は、パケット受信部６１５から発呼許可パケットを受け取り、Ethernet（登録商標）ヘッダ、ＩＰヘッダ、ＵＤＰヘッダ又はＴＣＰヘッダを順次、除去した後、アプリケーションデータに含まれている発呼許可を示す識別子を読み取る。
【００８３】
パケット生成部６１３は、相手先電話番号記憶部６１９に記憶されている相手先（例えば、図１のＩＰ電話１８１）の電話番号及び呼び出し要求メッセージ（例えば、Session Initiation ProtocolのINVITEメッセージ）を含むデータに、ＵＤＰヘッダ又はＴＣＰヘッダ、ＩＰヘッダ、Ethernet（登録商標）ヘッダを付加して発呼パケットを生成する。このＩＰヘッダに含まれる宛先ＩＰアドレスは、ソフトスイッチ１５１のＩＰアドレスである。生成された発呼パケットは、パケット送信部６１４によってＩＰ電話アダプタ１１３と収容ＳＷ１２１を接続するケーブルへ送信される。
【００８４】
上記の如く、所定の場所から一般電話機及びＩＰ電話アダプタを用いて発呼しようとする場合、発呼は許可される。
【００８５】
（所定の場所以外にある一般電話機からVoIPGW又はVoIPTA経由で電話をかける場合）
図７（ｂ）に基づいて、所定の場所以外から一般電話機１１２がＩＰ電話アダプタ１１３経由で電話をかける場合について説明する。
【００８６】
図７（ｂ）に示すように、一般電話機１１２からＩＰ電話アダプタ１１３へ相手先電話番号を含む発呼信号を送る。ＩＰ電話アダプタ１１３は収容ＳＷ１２１へＩＰ電話機情報を通知する。具体的には、パケット生成部６１３は、自電話番号記憶部６１１から読み取られたＩＰ電話アダプタ１１３の電話番号と、ＭＡＣアドレス記憶部６１２から読み取られたＩＰ電話アダプタ１１３のＭＡＣアドレスと、ＩＰ電話機情報を通知することを示す識別子を含むアプリケーションデータに、ＵＤＰヘッダ又はＴＣＰヘッダ、ＩＰヘッダ、Ethernet（登録商標）ヘッダを付加してＩＰ電話機情報通知パケットを生成する。このＩＰヘッダに含まれる宛先ＩＰアドレスは、収容ＳＷ１２１のＩＰアドレスである。生成されたＩＰ電話機情報通知パケットは、パケット送信部６１４によってＩＰ電話アダプタ１１３と収容ＳＷ１２１とを接続するケーブルへ送信される。
【００８７】
このケーブルは、収容ＳＷ１２１の第２ＩＰ電話機収容ポート２３８に接続され、収容ＳＷ１２１のパケット受信部２３４は、第２ＩＰ電話機収容ポート２３８からＩＰ電話機情報通知パケットを受信するものとする。
【００８８】
パケット解析部２３５は、パケット受信部２３４からＩＰ電話機情報通知パケットを受け取り、Ethernet（登録商標）ヘッダ、ＩＰヘッダ、ＵＤＰヘッダ又はＴＣＰヘッダを順次、除去した後、アプリケーションデータに含まれているＩＰ電話アダプタ１１３の電話番号、ＩＰ電話アダプタ１１３のＭＡＣアドレス、ＩＰ電話機情報通知を示す識別子を読み取り、接続表記憶部２３１の内容と比較する。
【００８９】
パケットから読み取られたＩＰ電話番号及びＩＰ電話機ＭＡＣアドレス、並びにそのパケットを受け取ったポートの番号の全てが、接続表記憶部２３１において１組の情報として関連付けて記憶されている場合以外は、パケット生成部２３２は、発呼不許可を示す識別子を含むアプリケーションデータに、ＵＤＰヘッダ又はＴＣＰヘッダ、ＩＰヘッダ、Ethernet（登録商標）ヘッダを付加して発呼不許可パケットを生成する。このＩＰヘッダに含まれる宛先ＩＰアドレスは、ＩＰ電話アダプタ１１３のＩＰアドレスである。生成された発呼不許可パケットは、パケット送信部２３３によって送信される。
【００９０】
ＩＰ電話アダプタ１１３のパケット受信部６１５は、発呼不許可パケットを受信する。パケット解析部６１６は、パケット受信部６１５から発呼不許可パケットを受け取り、Ethernet（登録商標）ヘッダ、ＩＰヘッダ、ＵＤＰヘッダ又はＴＣＰヘッダを順次、除去した後、アプリケーションデータに含まれている発呼不許可を示す識別子を読み取る。
【００９１】
表示制御部６１７は、液晶ディスプレイなどの表示部６１８に、所在が不正であることを示すメッセージなどを表示する。
【００９２】
ＩＰ電話アダプタ１１３の信号送信部６２１から切断する信号が送信される。
【００９３】
収容ＳＷ１２１のパケット生成部２３２は、ＩＰ電話アダプタ１１３の電話番号、ＭＡＣアドレス、及び発呼不許可となったことを示す識別子を含む発呼不許可ＩＰ電話機情報通知パケットを生成する。発呼不許可ＩＰ電話機情報通知パケットのＩＰヘッダには所在管理サーバ１４１のＩＰアドレスが、宛先ＩＰアドレスとして含まれる。生成された発呼不許可ＩＰ電話機情報通知パケットはパケット送信部２３３によって送信される。
【００９４】
発呼不許可ＩＰ電話機情報通知パケットの内容は、所在管理サーバ１４１の管理表記憶部２１１に記憶される。
【００９５】
上記の如く、所定の場所以外から一般電話機及びＩＰ電話アダプタを用いて発呼しようとする場合、発呼は許可されない。
【００９６】
（ＩＰ電話機が接続された際に、収容ＳＷがＩＰ電話機の所在を確認する場合）
図８（ａ）に基づいて、ＩＰ電話機１１１が接続された際に、収容ＳＷ１２１がＩＰ電話機１１１の所在を確認する場合について説明する。なお、ＩＰ電話機１１１の代わりにＩＰ電話アダプタ１１３が接続された場合も同様である。
【００９７】
収容ＳＷ１２１は、ＩＰ電話機１１１又はＩＰ電話アダプタ１１３とケーブルが繋がれば、当該ケーブルが繋がれたポートに電気的な接続を認知する。ただし、ＩＰ電話機１１１等も、収容ＳＷ１２１も電源が入っていることが前提となる。
【００９８】
図８（ａ）に示すように、ＩＰ電話機１１１がレイヤ１（物理層）レベルで収容ＳＷ１２１に接続されると、収容ＳＷ１２１はＩＰ電話機１１１に対してＩＰ電話機情報通知を依頼する。
【００９９】
具体的には、パケット生成部２３２は、ＩＰ電話機情報通知依頼を示す識別子を含むアプリケーションデータに、Ethernet（登録商標）ヘッダを付加してＩＰ電話機情報通知依頼パケットを生成する。このEthernet（登録商標）ヘッダに含まれる宛先ＭＡＣアドレスは、ＩＰ電話機１１１のＭＡＣアドレスである。生成されたＩＰ電話機情報通知依頼パケットは、パケット送信部２３３によって送信される。
【０１００】
ＩＰ電話機１１１のパケット解析部２５６は、パケット受信部２５５を経由してＩＰ電話機情報通知依頼パケットを受信する。
【０１０１】
パケット解析部２５６は、アプリケーションデータに含まれているＩＰ電話機情報通知依頼を示す識別子を読み取り、パケット生成部２５３にＩＰ電話機情報通知パケットを生成させる。
【０１０２】
具体的には、パケット生成部２５３は、自電話番号記憶部２５１から読み取られたＩＰ電話機１１１の電話番号と、ＭＡＣアドレス記憶部２５２から読み取られたＩＰ電話機１１１のＭＡＣアドレスと、ＩＰ電話機情報を通知することを示す識別子を含むアプリケーションデータを含むＩＰ電話機情報通知パケットを生成する。生成されたＩＰ電話機情報通知パケットは、パケット送信部２５４によってＩＰ電話機１１１と収容ＳＷ１２１を接続するケーブルへ送信される。
【０１０３】
収容ＳＷ１２１のパケット解析部２３５は、パケット受信部２３４を経由してＩＰ電話機情報通知パケットを受け取り、アプリケーションデータに含まれているＩＰ電話機１１１の電話番号及びＭＡＣアドレス、ＩＰ電話機情報通知を示す識別子を読み取り、接続表記憶部２３１の内容と比較する。
【０１０４】
パケットから読み取られた電話番号及びＩＰ電話機ＭＡＣアドレス、並びにそのパケットを受け取ったポートの番号の全てが、接続表記憶部２３１において１組の情報として関連付けて記憶されている場合、処理を終了する。
【０１０５】
パケットから読み取られた電話番号及びＩＰ電話機ＭＡＣアドレス、並びにそのパケットを受け取ったポートの番号の全てが、接続表記憶部２３１において１組の情報として関連付けて記憶されている場合以外は、パケット生成部２３２は、接続不許可を示す識別子を含むアプリケーションデータを含む接続不許可パケットを生成する。生成された接続不許可パケットは、パケット送信部２３３によって送信される。
【０１０６】
また、収容ＳＷ１２１は、所在に問題があると判断されたＩＰ電話機等が接続されたポートを無効にするとしても良い。
【０１０７】
上記の如く、ＩＰ電話機が接続された際にＩＰ電話機情報を確認することによって、発呼が試みられる前にＩＰ電話機が所定の場所に存在するか否かを知ることができる。
【０１０８】
（収容ＳＷが自発的にＩＰ電話機の所在を確認する場合）
図８（ｂ）に基づいて、収容ＳＷ１２１が自発的にＩＰ電話機１１１の所在を確認する場合について説明する。なお、ＩＰ電話機１１１の代わりにＩＰ電話アダプタ１１３が接続されている場合も同様である。
【０１０９】
図８（ｂ）に示すように、収容ＳＷ１２１はＩＰ電話機１１１に対してＩＰ電話機情報通知を依頼する。通知を依頼するタイミングは、例えば毎月１回所定の日時に、毎週１回所定の日時に、毎日１回所定の時間に又は何らかのイベントが発生したときなど、任意に設定可能とする。
【０１１０】
ＩＰ電話機情報通知依頼パケットの生成、送信などは図８（ａ）に基づいて説明した内容と同様であるから、省略する。
【０１１１】
上記の如く、収容ＳＷが自発的にＩＰ電話機情報を確認することによっても、発呼が試みられる前にＩＰ電話機が所定の場所に存在するか否かを知ることができる。
【０１１２】
所在管理サーバ１４１の管理表記憶部２１１の内容が更新されたら、できるだけ速やかに関連する収容ＳＷに新たなＩＰ電話機接続表を送信することが好ましい。
【０１１３】
なお、所在を把握するための通信プロトコルとして、ＳＮＭＰ(Simple Network Management Protocol)などの既存のプロトコルを使用しても良い。また、ＭＡＣアドレスの代わりにＩＰ電話機、ＩＰ電話アダプタ等に割り当てられたＩＰアドレスを使用しても良い。
【０１１４】
図３（ｂ）に示したように、上記実施形態では、ポート毎にそのポートに接続されるべきＩＰ電話機１１１等の電話番号を管理する。しかし、必ずしも電話番号の全ての桁を管理しなくても良い。なぜなら、収容ＳＷ１２１に収容されるＩＰ電話機１１１等の電話番号は、収容局毎に市内局番まで固定されるからである。例えば、０３−８８８８―９９９９のうち、０３−８８８８―までは固定される。このため、収容ＳＷ１２１にて「市外局番と市内局番」を記憶し、ＩＰ電話機１１１等と情報をやり取りする時に、「ＩＰ電話機１１１等から受け取った電話番号の市外局番と市内局番」と、「記憶している市外局番と市内局番」とを比較し、両者が一致するか否かを確認することによって、当該収容ＳＷ１２１に接続されるべき電話番号であるかを判断するとしても良い。
【０１１５】
図５（ａ）及び図７（ａ）に示したように、上記実施形態では、所定の場所から発呼する場合、収容ＳＷ１２１は発呼許可パケットをＩＰ電話機１１１等へ送信する。しかし、必ずしも発呼許可パケットを送信しなくても良い。例えば、発呼が許可される場合に、発呼しようとしてＩＰ電話機１１１等をオフフック状態とすればトーン音が聞こえ、相手先電話番号を入力すれば発呼処理がなされるとしても良い。また、発呼が許可される場合に、ＩＰ電話機１１１の表示部２５８又はＩＰ電話アダプタ１１３の表示部６１８にその旨を表示する又は緑などの特定色のランプを点灯するとしても良い。
【０１１６】
図５（ｂ）及び図７（ｂ）に示したように、上記実施形態では、所定の場所以外から発呼する場合、収容ＳＷ１２１は発呼不許可パケットをＩＰ電話機１１１等へ送信する。しかし、必ずしも発呼不許可パケットを送信しなくても良い。例えば、発呼が許可されない場合に、発呼しようとしてＩＰ電話機１１１等をオフフック状態にしてもトーン音が聞こえないとしても良い。また、発呼が許可されない場合に、ＩＰ電話機１１１の表示部２５８又はＩＰ電話アダプタ１１３の表示部６１８にその旨を表示する又は赤などの特定色のランプを点灯するとしても良い。
【０１１７】
図５（ｂ）及び図７（ｂ）に示したように、所在管理サーバ１４１は、発呼不許可ＩＰ電話機情報と当該収容ＳＷ情報の通知を受け取り、所在が不正な電話機に関する情報を把握することができる。このようにして把握した情報は、例えば
（１）顧客からの問い合わせへ対応（つながらない理由を説明等）するための情報
（２）所定の場所以外から発呼しようと試みる悪質な使用者へ対応（連絡等）するための情報、などとして活用することができる。
【０１１８】
また、接続されるＩＰ電話機１１１又はＩＰ電話アダプタ１１３の有効期間（使用開始日時、使用終了日時）も、収容ＳＷ１２１が管理可能とすることが好ましい。具体的には、図３（ｂ）に示したＩＰ電話機接続表に、使用開始日時又は使用終了日時のいずれか一方又は双方を記憶させる。
【０１１９】
ＩＰ電話機１１１等からＩＰ電話機情報等を通知された際に、収容ＳＷ１２１は、その通知を受け取った収容ＳＷ１２１のポートのポート番号に対応付けて記憶されている使用開始日時又は使用終了日時と、その通知を受け取った日時とを比較する。
【０１２０】
通知を受け取った日時が使用開始日時前である場合、収容ＳＷ１２１は、ＩＰ電話機１１１等による発呼及び通話を拒否する。また、通知を受け取った日時が使用終了日時後である場合、収容ＳＷ１２１は、ＩＰ電話機１１１等による発呼及び通話を拒否する。
【０１２１】
収容ＳＷ１２１は、ＮＴＰ(Network Timer Protocol)等の時刻合わせ機能によって、正確な日時を管理する。有効期間は、ＩＰ電話機１１１等に関する他の情報と同様に、所在管理サーバ１４１を用いて、収容ＳＷ１２１のＩＰ電話機接続表に登録し、管理する。
【０１２２】
収容ＳＷ１２１は、定期的に有効期間切れデータ、つまり使用終了日時を過ぎたデータ（ＩＰ電話番号、ＩＰ電話機ＭＡＣアドレス、ＩＰ電話機収容ポート）の有無をチェックし、有効期間切れデータを発見したら、そのデータをＩＰ電話機接続表から消去することが好ましい。
【０１２３】
このようにＩＰ電話機１１１等の有効期間を管理することによって、使用開始前に予め
データ（ＩＰ電話番号、ＩＰ電話機ＭＡＣアドレス、ＩＰ電話機収容ポート）を登録しておくことが可能となる。
【図面の簡単な説明】
【０１２４】
【図１】実施の形態の全体構成を示すブロック図である。
【図２】図２（ａ）は所在管理サーバの構成を示し、図２（ｂ）は収容ＳＷの構成を示し、図２（ｃ）はＩＰ電話機の構成を示す機能ブロック図である。
【図３】図３（ａ）は所在管理表の一例を示し、図３（ｂ）はＩＰ電話機接続表の一例を示す。
【図４】ＩＰ電話機情報の登録、更新、削除を説明するシーケンス図である。
【図５】図５（ａ）は、所定の場所からＩＰ電話機が発呼する場合のシーケンス図であり、図５（ｂ）は、所定の場所以外からＩＰ電話機が発呼する場合のシーケンス図である。
【図６】ＩＰ電話アダプタの構成を示す機能ブロック図である。
【図７】図７（ａ）は、所定の場所から一般電話機がＩＰ電話アダプタ経由で電話をかける場合のシーケンス図であり、図７（ｂ）は、所定の場所以外から一般電話機がＩＰ電話アダプタ経由で電話をかける場合のシーケンス図である。
【図８】図８（ａ）は、ＩＰ電話機が接続された際に、収容ＳＷがＩＰ電話機の所在を確認する場合のシーケンス図であり、図８（ｂ）は、収容ＳＷが自発的にＩＰ電話機の所在を確認する場合のシーケンス図である。
【符号の説明】
【０１２５】
１１１…発信側ＩＰ電話機、１１２…発信側一般電話機、
１１３…発信側ＩＰ電話アダプタ、１２１…スイッチ、
１３１…ＩＰ電話網、１３２…一般電話網、
１３３…携帯電話網、１４１…所在管理サーバ、
１５１…ソフトスイッチ、１６１…一般電話機、
１７１…携帯電話機、１８１…ＩＰ電話機
【図１】
2005229215.tif 000003
【図２】
2005229215.tif 000004
【図３】
2005229215.tif 000005
【図４】
2005229215.tif 000006
【図５】
2005229215.tif 000007
【図６】
2005229215.tif 000008
【図７】
2005229215.tif 000009
【図８】
2005229215.tif 000010